(57)【特許請求の範囲】
【請求項１】
路側システムと狭域通信を行う車載システムであって、
表示装置と、
前記狭域通信が可能な路側システムに接続する接続手段と、
Ｗｅｂブラウザと、
プッシュ型情報受信制御手段とを有し、
前記プッシュ型情報受信制御手段は、
前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬでない場合に、ユーザに対する閲覧可能な情報が発生した旨の通知とユーザからの情報の表示の要否の受け付けを行う情報表示支援ウインドウの前記表示装置への表示を行い、ユーザから情報の表示要を受け付けた場合に、前記Ｗｅｂブラウザに当該通知されたＵＲＬのＷｅｂページの取得及び表示を行わせ、
前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬである場合に、前記情報表示支援ウインドウの前記表示装置への表示を行わずに、ユーザに対する閲覧可能な情報が存在する旨の通知を行う通知ウインドウを前記表示装置に表示し、
前記通知ウインドウのサイズは前記情報表示支援ウインドウのサイズよりも小さいことを特徴とする車載システム。
【請求項２】
路側システムと狭域通信を行う車載システムであって、
表示装置と、
前記狭域通信が可能な路側システムに接続する接続手段と、
Ｗｅｂブラウザと、
プッシュ型情報受信制御手段とを有し、
前記プッシュ型情報受信制御手段は、
前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬでない場合に、ユーザに対する閲覧可能な情報が発生した旨の通知を行う第１の情報表示支援ウインドウの前記表示装置への表示を行い、
前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬである場合に、ユーザに対する閲覧可能な情報が発生した旨の通知を行う、前記第１の情報表示支援ウインドウよりもサイズの小さい第２の情報表示支援ウインドウの前記表示装置への表示を行うことを特徴とする車載システム。
【請求項３】
請求項２記載の車載システムであって、
前記プッシュ型情報受信制御手段は、前記第１の情報表示支援ウインドウ、及び、前記第２の情報表示支援ウインドウで、ユーザからの情報の表示の要否の受け付けを行い、ユーザから情報の表示要を受け付けた場合に、前記Ｗｅｂブラウザに当該通知されたＵＲＬのＷｅｂページの取得及び表示を行わせることを特徴とする車載システム。
【発明の詳細な説明】
【技術分野】
【０００１】
本発明は、車載システムにおいて、路側システムから配信される情報の表示を制御する技術に関するものである。
【背景技術】
【０００２】
路側システムから配信される情報の表示を制御する技術としては、サービスエリアやパーキングエリアや道の駅などの施設に設置された路側システムにおいて、当該路側システムの通信エリア内に進入した車載システムとの間のDSRC（Dedicated Short Range Communication：狭域通信）を介した接続を自動的に確立し、接続が発生した車載システムに、ＵＲＬを配信すると共に、車載システムにおいて、配信されたＵＲＬの情報の取得と表示等のユーザに対する出力を行うプッシュ型配信の技術が知られている（たとえば、特許文献１）。
【特許文献１】特開2010-268334号公報
【発明の概要】
【発明が解決しようとする課題】
【０００３】
上述したプッシュ型配信の技術によれば、自動車が路側システムの通信エリア内に進入した後に、休憩等のために当該通信エリア内で駐車してアクセサリ電源をオフした場合、アクセサリ電源のオフによって車載システムと路側システムとの間の接続が断たれるため、自動車が路側システムの通信エリア内に進入した時点に加え、アクセサリ電源をオンに復帰した時点においても、車載システムと路側システムとの接続が発生し、路側システムから車載システムに、通信エリア内に進入した時点で配信された情報と同じ情報のＵＲＬが配信されることとなる。
【０００４】
そして、このような場合において、自動車が路側システムの通信エリア内に進入した時点でユーザが路側システムから配信された情報を既に閲覧している場合には、アクセサリ電源をオンに復帰した時点で配信される情報はユーザにとって冗長な情報であり、配信されたＵＲＬの情報の表示や、その他の当該情報に関する操作は、ユーザにとって煩雑なものとなる。
【０００５】
そこで、本発明は、車載システムにおいて、路側システムから過去に配信された情報と同じ情報が配信された場合における、当該情報に関するユーザの煩雑さを抑制することを課題とする。
【課題を解決するための手段】
【０００６】
前記課題達成のために、本発明は、路側システムと狭域通信を行う車載システムに、前記狭域通信が可能な路側システムに接続する接続手段と、プッシュ型情報表示手段とを設け、前記プッシュ型情報表示手段において、前記接続した路側システムからＵＲＬを通知されたときに、当該ＵＲＬが、過去もしくは過去所定期間内に当該路側システムから通知され当該車載システムにおいて当該ＵＲＬの情報の取得及びユーザに対する出力を行ったＵＲＬでない場合に、前記狭域通信を介して当該通知されたＵＲＬの情報の取得及びユーザに対する出力を行い、前記接続した路側システムからＵＲＬを通知されたときに、当該ＵＲＬが、過去もしくは過去所定期間内に当該路側システムから通知され当該車載システムにおいて当該ＵＲＬの情報の取得及びユーザに対する出力を行ったＵＲＬである場合に、当該通知されたＵＲＬの情報の取得及びユーザに対する出力を行わないようにしたものである。
【０００７】
前記課題達成のために、本発明は、路側システムと狭域通信を行う車載システムに、前記狭域通信が可能な路側システムに接続する接続手段と、プッシュ型情報表示支援手段とを備え、前記プッシュ型情報表示支援手段において、前記接続した路側システムからＵＲＬを通知されたときに、当該ＵＲＬが、過去もしくは過去所定期間内に当該路側システムから通知され当該車載システムにおいて当該ＵＲＬの情報の取得及びユーザに対する出力を行ったＵＲＬでない場合に、前記狭域通信を介した当該通知されたＵＲＬの情報の取得及びユーザに対する出力のためのユーザの作業を第１の形態で支援し、前記接続した路側システムからＵＲＬを通知されたときに、当該ＵＲＬが、過去もしくは過去所定期間内に当該路側システムから通知され当該車載システムにおいて当該ＵＲＬの情報の取得及びユーザに対する出力を行ったＵＲＬである場合に、前記狭域通信を介した当該通知されたＵＲＬの情報の取得及びユーザに対する出力のためのユーザの作業を、前記第１の形態よりも控えめな形態である第２の形態で支援するようにしたものである。
【０００８】
また、前記課題達成のために、本発明は、路側システムと狭域通信を行う車載システムに、表示装置と、前記狭域通信が可能な路側システムに接続する接続手段と、Ｗｅｂブラウザと、プッシュ型情報受信制御手段とを設け、前記プッシュ型情報受信制御手段において、前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬでない場合に、ユーザに対する閲覧可能な情報が発生した旨の通知とユーザからの情報の表示の要否の受け付けを行う情報表示支援ウインドウの前記表示装置への表示を行い、ユーザから情報の表示要を受け付けた場合に、前記Ｗｅｂブラウザに当該通知されたＵＲＬのＷｅｂページの取得及び表示を行わせ、前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬである場合に、前記情報表示支援ウインドウの前記表示装置への表示を行わないようにしたものである。
【０００９】
ここで、このような車載システムは、前記プッシュ型情報受信制御手段において、前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬである場合に、ユーザに対する閲覧可能な情報が存在する旨の通知を行う通知ウインドウを前記表示装置に表示すると共に、前記通知ウインドウのサイズは前記情報表示支援ウインドウのサイズよりも小さくするように構成してもよい。
【００１０】
また、前記課題達成のために、本発明は、路側システムと狭域通信を行う車載システムに、表示装置と、前記狭域通信が可能な路側システムに接続する接続手段と、Ｗｅｂブラウザと、プッシュ型情報受信制御手段とを設け、前記プッシュ型情報受信制御手段において、前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬでない場合に、ユーザに対する閲覧可能な情報が発生した旨の通知を行う情報表示支援ウインドウの前記表示装置への表示を行い、前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬである場合に、前記情報表示支援ウインドウの前記表示装置への表示を行わないようにしたものである。
【００１１】
また、前記課題達成のために、本発明は、路側システムと狭域通信を行う車載システムに、表示装置と、前記狭域通信が可能な路側システムに接続する接続手段と、Ｗｅｂブラウザと、プッシュ型情報受信制御手段とを設け、前記プッシュ型情報受信制御手段において、前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬでない場合に、ユーザに対する閲覧可能な情報が発生した旨の通知を行う第１の情報表示支援ウインドウの前記表示装置への表示を行い、前記接続した路側システムからＵＲＬを通知されたときに、当該ＵＲＬが、過去もしくは過去所定期間内に当該路側システムから通知され前記Ｗｅｂブラウザにおいて当該ＵＲＬのＷｅｂページの取得及び表示を行ったＵＲＬである場合に、ユーザに対する閲覧可能な情報が発生した旨の通知を行う、前記第１の情報表示支援ウインドウよりもサイズの小さい第２の情報表示支援ウインドウの前記表示装置への表示を行うようにしたものである。
【００１２】
ここで、このような車載システムは、前記プッシュ型情報受信制御手段において、前記第１の情報表示支援ウインドウ、及び、前記第２の情報表示支援ウインドウで、ユーザからの情報の表示の要否の受け付けを行い、ユーザから情報の表示要を受け付けた場合に、前記Ｗｅｂブラウザに当該通知されたＵＲＬのＷｅｂページの取得及び表示を行わせるように構成してもよい。
【００１３】
以上のような車載システムによれば、車載システムにおいて、路側システムから過去に通知されたＵＲＬと同じＵＲＬが通知された場合には、当該通知を無視したり、初回の当該通知を受けた場合よりも控えめな形態で、当該通知されたＵＲＬの情報/Ｗｅｂページの閲覧を支援することができる。
【００１４】
よって、車載システムにおいて、路側システムから過去に配信された情報と同じ情報が配信された場合における、当該情報に関するユーザの煩雑さを抑制することができるようになる。
【発明の効果】
【００１５】
以上のように、本発明によれば、車載システムにおいて、路側システムから過去に配信された情報と同じ情報が配信された場合における、当該情報に関するユーザの煩雑さを抑制することができる。
【図面の簡単な説明】
【００１６】
【図１】本発明の実施形態に係る情報システムの構成を示すブロック図である。
【図２】本発明の実施形態に係る車載システム構成を示すブロック図である。
【図３】本発明の実施形態に係るプッシュ型配信情報表示制御処理を示すフローチャートである。
【図４】本発明の実施形態に係るプッシュ型配信情報表示制御処理による表示例を示す図である。
【発明を実施するための形態】
【００１７】
以下、本発明の実施形態について説明する。
図１に、本実施形態に係る情報システムの構成を示す。
図示するように、情報システムは、各自動車に搭載された車載システム１と、サービスエリアやパーキングエリアや道の駅などの施設に設置された路側システム２とを含んで構成される。
路側システム２は、近傍に位置する自動車の車載システム１との間でDSRC（Dedicated Short Range Communication：狭域通信）による信号の送受信を行う路側送受信機２００と、路側装置２１０とを含んでいる。
そして、路側装置２１０は、接続制御装置２１１を備えており、接続制御装置２１１は、路側送受信機２００の通信エリア内にDSRCを介した通信が可能な状態の車載システム１が出現したならば、当該車載システム１との間で所定の接続手順を実行し、IP接続を含む所定のプロトコルの通信接続を確立する。
【００１８】
ここで、接続制御装置２１１の制御によって路側システム２とのIP接続が確立した車載システム１は、当該IP接続を介して、路側システム２が設置されている施設のイントラネット３上のローカルＷｅｂサーバ４や、イントラネット３がルータ５を介して接続しているインターネット６上のＷｅｂサーバ７にアクセスできるようになる。
【００１９】
また、路側装置２１０は、プッシュ型情報配信部２１２を備えており、接続制御装置２１１の制御によって車載システム１との間の所定のプロトコルの通信接続が確立すると、プッシュ型情報配信部２１２は当該所定のプロトコルの通信接続を介して車載システム１との間で通信を行うことができるようになる。
【００２０】
そして、プッシュ型情報配信部２１２は、接続制御装置２１１の制御によって路側システム２との通信接続が確立した車載システム１が発生すると、所定のＵＲＬを、プッシュ配信情報ＵＲＬとして車載システム１に通知する。ここで、プッシュ配信情報ＵＲＬとする所定のＵＲＬは、路側システム２の運営者が、路側システム２の通信エリア内に進入した自動車のユーザに閲覧させたい任意のＷｅｂページのＵＲＬとすることができる。すなわち、プッシュ配信情報ＵＲＬとしては、たとえば、ローカルＷｅｂサーバ４上の、路側システム設置施設の広告情報や利用情報を記述したＷｅｂページのＵＲＬ等を用いることができる。
【００２１】
次に、図２に各自動車に搭載される車載システム１の構成を示す。
図示するように、車載システム１は、操作部１１１、表示装置１１２、操作部１１１や表示装置１１２を用いたＧＵＩを制御するＧＵＩ制御部１１３、プッシュ型情報受信制御部１１４、Ｗｅｂブラウザ１１５、ナビゲーション装置１１６、通信制御装置１１７、DSRCによる通信を行うDSRC通信装置１１８、記憶装置１１９、音声出力装置１２０、スピーカ１２１、以上各部を制御する制御部１２２を備えている。
但し、車載システム１は、ハードウエア的には、マイクロプロセッサや、メモリや、その他の周辺デバイスを有する一般的な構成を備えたコンピュータを利用して構成されるものであってよく、この場合、以上に示した車載システム１の各部もしくはその一部は、マイクロプロセッサが予め用意されたプログラムを実行することにより具現化するものであって良い。また、この場合、このようなプログラムは、記録媒体や適当な通信路を介して、車載システム１に提供されるものであって良い。
【００２２】
ここで、記憶装置１１９には、地図データが記憶されている。また、ナビゲーション装置１１６は、車速センサやジャイロセンサやＧＰＳ受信機を備えており、記憶装置１１９に記憶されている地図データを用いて、現在位置の算出や、設定された目的地までの誘導ルートの探索及び設定などの処理を行う。また、ナビゲーション装置１１６は、地図を示す地図画像上に、現在位置や設定されている誘導ルートや目的地を表す図形を描画した案内画像を生成し、図４ａに示すように生成した案内画像４００をＧＵＩ制御部１１３を介して表示装置１１２に表示する処理も行う。なお、制御部１２２は、ＧＵＩ制御部１１３を介して、表示装置１１２の表示画面上にメニューボタン４０１を表示し、メニューボタン４０１の操作に応答して所定のメニュー画面を表示する。そして、ユーザは、このようにして表示したメニュー画面を用いて、車載システム１の各種機能を呼び出して利用することができるようになっている。
【００２３】
次に、通信制御装置１１７は、DSRC通信装置１１８を介して路側システム２の接続制御装置２１１との間で、所定の接続手順を実行し、路側システム２との間のIP接続を含む所定のプロトコルの通信接続を確立する処理や、確立したIP接続を用いてＷｅｂブラウザ１１５が行う路側システム２のイントラネット３上のローカルＷｅｂサーバ４やインターネット６上のＷｅｂサーバ７との間の通信を制御する処理や、確立した所定のプロトコルの通信接続を用いてプッシュ型情報受信制御部１１４が行う路側システム２のプッシュ型情報配信部２１２との間で行う通信を制御する処理を行う。
【００２４】
以下、このような構成において車載システム１のプッシュ型情報受信制御部１１４が行うプッシュ型配信情報表示制御処理について説明する。
図３に、このプッシュ型配信情報表示制御処理の手順を示す。
図示するようにこの処理では、DSRC通信装置１１８、通信制御装置１１７を介して、路側装置２１０からのプッシュ配信情報ＵＲＬの受信の発生を監視（ステップ３０２）し、受信が発生したならば、受信したプッシュ配信情報ＵＲＬをカレントＵＲＬとして記憶装置１１９に記憶する（ステップ３０４）。
【００２５】
そして、既閲覧条件を満たしているかどうかを調べ（ステップ３０６）、満たしていなければステップ３０８に進み、満たしていればステップ３２０に進む。ここで、既閲覧条件は、受信したプッシュ配信情報ＵＲＬが記憶装置１１９に記憶されている登録ＵＲＬと等しく、かつ、受信したプッシュ配信情報ＵＲＬの送信元の路側システム２のＩＤが記憶装置１１９に記憶されている登録ＩＤと等しく、かつ、記憶装置１１９に記憶されている登録時刻が現在時刻より過去所定期間Ｔｈ（Ｔｈはたとえば６時間）以内の時刻であることとする。
【００２６】
なお、初期状態において、登録ＵＲＬ、登録ＩＤ、登録時刻は記憶装置１１９に記憶されていないので、初回のステップ３０６の実行後は、必ずステップ３０８に進むこととなる。
そして、ステップ３０８に進んだならば、図４ｂに示すような第１ウインドウ４１０を、ＧＵＩ制御部１１３を介して、表示装置１１２に表示されている案内画像４００上に重畳させた形態で表示する（ステップ３０８）。ここで、第１ウインドウ４１０には、閲覧可能な情報が発生した旨の表示４１１と、情報の閲覧の要否をユーザから受け付ける「はい」/「いいえ」ボタン４１２を含める。また、ステップ３０８では、音声出力装置１２０を介して、情報が提供された旨の音声メッセージの音声出力も行うようにしてもよい。
ここで、車載システム１を搭載した自動車が路側システム２の通信エリア内に進入し、その路側システム２から初めてプッシュ配信情報ＵＲＬを受信した時点では、既閲覧条件が満たされていないので第１ウインドウ４１０が表示されることとなる。
【００２７】
そして、第１ウインドウ４１０の「はい」ボタン４１２の操作によって、ユーザから閲覧要が指示された場合には（ステップ３１０）、ステップ３０２で受信したプッシュ配信情報ＵＲＬを登録ＵＲＬとして記憶装置１１９に記憶し、ステップ３０２で受信したプッシュ配信情報ＵＲＬの送信元の路側システム２のＩＤを登録ＩＤとして記憶装置１１９に記憶し、現在時刻を登録時刻として記憶装置１１９に記憶する（ステップ３１２）。
【００２８】
そして、第１ウインドウ４１０の表示を消去した上で（ステップ３１４）、Ｗｅｂブラウザ１１５に、ステップ３０２で受信したプッシュ配信情報ＵＲＬのアクセスを指示し（ステップ３１６）、ステップ３０２からの処理に戻る。ここで、プッシュ配信情報ＵＲＬのアクセスを指示されたＷｅｂブラウザ１１５は、路側システム２との間のIP接続を用いて、プッシュ配信情報ＵＲＬによって示されるＵＲＬのＷｅｂページを取得し、図４ｄに示すように取得したＷｅｂページ４３０をＧＵＩ制御部１１３を介して表示装置１１２に表示する。
【００２９】
一方、第１ウインドウ４１０の「いいえ」ボタン４１２の操作によって、ユーザから閲覧否が指示された場合には（ステップ３１０）、第１ウインドウ４１０の表示を消去し（ステップ３１８）、ステップ３０２からの処理に戻る。ただし、ステップ３１８では、さらに、ステップ３１２と同様な処理、すなわち、ステップ３０２で受信したプッシュ配信情報ＵＲＬを登録ＵＲＬとして記憶装置１１９に記憶し、ステップ３０２で受信したプッシュ配信情報ＵＲＬの送信元の路側システム２のＩＤを登録ＩＤとして記憶装置１１９に記憶し、現在時刻を登録時刻として記憶装置１１９に記憶する処理も行うようにしてもよい。
【００３０】
また、ステップ３０６で既閲覧条件を満たしていると判定されて、ステップ３２０に進んだ場合には、図４ｃに示すような第２ウインドウ４２０を、ＧＵＩ制御部１１３を介して、表示装置１１２に表示されている案内画像４００上に重畳させた形態で、一定期間（たとえば、１０秒）だけ表示し、ステップ３０２からの処理に戻る。ここで、第２ウインドウ４２０は、第１ウインドウ４１０より小さいサイズのウインドウであり、案内画像４００の視認を大きく妨げないように、表示装置１１２の周辺部に表示される。また、第２ウインドウ４２０は、閲覧可能な情報が存在する旨と、メニューから提供された情報を表示するための操作を行うことができる旨の表示のみを含む。
ここで、車載システム１を搭載した自動車が路側システム２の通信エリア内に進入した時点でユーザが路側システム２から通知されたプッシュ配信情報ＵＲＬのＷｅｂページ４３０を閲覧した後に、休憩等のために短時間当該通信エリア内で駐車してアクセサリ電源をオフした場合、その後にアクセサリ電源をオンに復帰した時点では、既閲覧条件が満たされているので、第２ウインドウ４２０の表示のみが行われることとなる。
【００３１】
なお、制御部１２２は、メニューボタン４０１の操作に応答して表示するメニュー画面を用いて、ユーザから提供情報の表示が指示されたならば、カレントＵＲＬとして保持されているＵＲＬのアクセスをＷｅｂブラウザ１１５に指示し、この結果、Ｗｅｂブラウザ１１５によって、図４ｄに示すように、最後に受信したプッシュ配信情報ＵＲＬによって示されるＵＲＬのＷｅｂページ４３０が表示されることとなる。
【００３２】
以上、車載システム１のプッシュ型情報受信制御部１１４が行うプッシュ型配信情報表示制御処理について説明した。
ところで、以上のプッシュ型配信情報表示制御処理に、以下修正１から修正４の修正を単独で、または、修正１と修正２のいずれかと、修正３と修正４のいずれかを組み合わせて適用するようにしてもよい。
修正１：、ステップ３０６において既閲覧条件が満たされていないと判定された場合には、第１ウインドウ４１０を表示することなく、ステップ３１２の登録ＵＲＬ、登録ＩＤ、登録時刻の記憶とステップ３１６のＷｅｂブラウザ１１５へのプッシュ配信情報ＵＲＬのアクセスの指示の処理を行ってステップ３０２に戻るようにプッシュ型配信情報表示制御処理を修正する。
【００３３】
修正２：第１ウインドウ４１０に情報の閲覧の要否をユーザから受け付ける「はい」/「いいえ」ボタン４１２を設けないようにすると共に、ステップ３０６において既閲覧条件が満たされていないと判定された場合には、第１ウインドウ４１０の表示（ステップ３０８）と、登録ＵＲＬ、登録ＩＤ、登録時刻の記憶（ステップ３１２）との処理を行ってステップ３０２に戻るようにプッシュ型配信情報表示制御処理を修正する。なお、この場合にも、ユーザは、メニューボタン４０１から、最後に受信したプッシュ配信情報ＵＲＬによって示されるＵＲＬのＷｅｂページを閲覧することができる。
【００３４】
修正３：ステップ３０６において既閲覧条件が満たされていると判定された場合には、第２ウインドウ４２０を表示することなく、そのままステップ３０２に戻るようにプッシュ型配信情報表示制御処理を修正する。
修正４：ステップ３２０で表示する第２ウインドウ４２０にも、第１ウインドウ４１０と同様に、情報の閲覧の要否をユーザから受け付ける「はい」/「いいえ」ボタン４１２を設け、「はい」ボタン４１２が操作されたならば、Ｗｅｂブラウザ１１５に、ステップ３０２で受信したプッシュ配信情報ＵＲＬのアクセスを指示してステップ３０２に戻り、「いいえ」ボタン４１２が操作されたならばそのままステップ３０２に戻るようにする。
【００３５】
また、以上の実施形態のプッシュ型配信情報表示制御処理は、ナビゲーション装置１１６が検出している現在位置がサービスエリアやパーキングエリアや道の駅などの駐車場を有する特定の種別の施設内の位置でない場合には、ステップ３０６の判定結果に関わらずにステップ３０８に進むようにしてもよい。
【００３６】
以上のように、本実施形態によれば、車載システム１において、路側システム２から過去に通知されたプッシュ型配信情報ＵＲＬと同じＵＲＬが通知された場合には、当該通知を無視したり、初回の当該通知を受けた場合よりも控えめな形態で、当該通知されたプッシュ型配信情報ＵＲＬのＷｅｂページの閲覧を支援することができる。
【００３７】
よって、車載システム１において、路側システム２から過去に配信された情報と同じ情報が配信された場合における、当該情報に関するユーザの煩雑さを抑制することができるようになる。
【符号の説明】
【００３８】
１…車載システム、２…路側システム、３…イントラネット、４…ローカルＷｅｂサーバ、５…ルータ、６…インターネット、７…Ｗｅｂサーバ、１１１…操作部、１１２…表示装置、１１３…ＧＵＩ制御部、１１４…プッシュ型情報受信制御部、１１５…Ｗｅｂブラウザ、１１６…ナビゲーション装置、１１７…通信制御装置、１１８…DSRC通信装置、１１９…記憶装置、１２０…音声出力装置、１２１…スピーカ、１２２…制御部、２００…路側送受信機、２１０…路側装置、２１１…接続制御装置、２１２…プッシュ型情報配信部。
【図１】
0005858798.tif 000002
【図２】
0005858798.tif 000003
【図３】
0005858798.tif 000004
【図４】
0005858798.tif 000005